(57)【要約】【課題】本発明は、塵埃の圧縮性向上や塵埃の舞い散り防止できる集塵室を備えた電気掃除機を提供するものである。【解決手段】電動送風機３０により吸引した塵埃を含む空気から塵埃分離して塵埃を溜める集塵室３５と、集塵室３５に開口した開口部４１と、開口部４１に連通し湿度の高い空気を発生させる吸放湿部材４５、湿度の高い空気を吸放湿部材４５から集塵室３５へ導く導入管４８を有し、調湿容器４４を上部空間４４ａと下部空間４４ｂとに区分けされるように吸放湿部材４５が配置されたことで、吸放湿部材４５から集塵室３５へ向かう湿度の高い空気と、集塵室３５から戻ってくる湿度の低い空気が衝突、混合することがないので、確実に湿度の高い空気を塵埃に送ることができる。【選択図】図６
2013128532.tif 000002
【特許請求の範囲】
【請求項１】
吸引力を発生させる電動送風機と、
前記電動送風機の上流側に設置され前記電動送風機により吸引した塵埃を含む空気を塵埃分離する塵埃分離部と、
前記塵埃分離部で分離された塵埃を溜める集塵室と、
前記集塵室に開口した開口部と、
前記電動送風機の近傍に配置される吸放湿部材と、
前記吸放湿部材を保持収容する調湿容器と、
２つの流路を有し前記調湿容器と前記集塵室の前記開口部とを連通させる導入管と、
前記電動送風機と前記調湿容器の底面とに接触する伝熱部材と、を備え、
前記吸放湿部材は、前記調湿容器内の空間を上部空間と下部空間とに区分けされるように前記調湿容器内に配置され、
前記電動送風機の熱を前記伝熱部材を介して前記調湿容器に伝えることにより、前記調湿容器の下部空間内の空気を加熱するよう構成した電気掃除機。
【請求項２】
前記導入管には、前記導入管の軸に平行かつ被掃除面に対し上下を区分する仕切板を有し、前記仕切板端部を前記吸放湿部材と接触または近接させるように配置することで、前記仕切板の上部通路と前記調湿容器の前記上部空間、そして前記仕切板の下部通路と前記調湿容器の前記下部空間を連通されるようにした請求項１に記載の電気掃除機。
【請求項３】
前記吸放湿部材は、表裏が連通する連通孔を有した構成とし、前記下部空間と前記上部空間とが前記連通孔により連通されるように前記調湿容器内に配置した請求項１または２に記載の電気掃除機。
【請求項４】
前記調湿容器の底面に単一または複数の伝熱フィンを配置する構成とした請求項１〜３のいずれか１項に記載の電気掃除機。
【請求項５】
前記調湿容器の前記上部空間に対し前記電動送風機からの熱が伝わりにくい構成とした、請求項１〜４のいずれか１項に記載の電気掃除機。
【発明の詳細な説明】
【技術分野】
【０００１】
本発明は、サイクロン式の電気掃除機に関するものである。
【背景技術】
【０００２】
近年、吸引した空気に旋回成分を持たせ、遠心力により気流から塵埃を分離除去するタイプの電気掃除機、いわゆるサイクロン式の電気掃除機が注目を浴びている。この種の電気掃除機において、図１２に示すような、塵埃を含む空気を外から内部に流入させるための吸気路１と、吸気路１に吸気を発生させる電動送風機（図示せず）と、吸気路１を通過した塵埃を含む空気を旋回により塵埃と空気とに分離して底部に溜める集塵室２と、霧化装置３を有し、水を霧状にして、集塵室２に、平均粒子径が５０μｍ以下の水粒子を供給する水粒子供給部４とを備えているものもある（特許文献１参照）。
【０００３】
また図１３のように、旋回室５と集塵室６を分離する板状隔壁７を有し、板状隔壁７は一部にスロープ状の切欠８を有し、旋回室５を旋回する塵埃がそのスロープ状切欠き８を通過して集塵室６に入るようになっており、その板状隔壁７が下に移動することで集塵室６内の塵埃を圧縮する構成となっているものもある（特許文献２参照）。
【０００４】
このようなサイクロン式の電気掃除機にあっては、吸気路１を通過する吸引された空気と塵埃は、水粒子供給部４から水粒子を供給され、集塵室２に流れ込むので、塵埃に水粒子を付加することができる。これにより、細塵どうしが付着し易く、細塵の凝集効果が高くなり、塵埃と空気との分離性能の向上が図れる。なお、平均粒子径が５０μｍ以下の水粒子は、水粒子の重量に対する表面積が大きいので、蒸発しやすい。
【０００５】
したがって、水粒子供給部から供給された水粒子が集塵室２に付着した場合でも、付着した水粒子は旋回した空気により蒸発し除去されるので、集塵室２の水処理は必要ない。また、板状隔壁７が集塵室６に溜まった塵埃を圧縮するので、集塵室６の小型化が図ることができる。
【先行技術文献】
【特許文献】
【０００６】
【特許文献１】特許第３１５８０４４号公報
【特許文献２】特許第３４７６０７６号公報
【発明の概要】
【発明が解決しようとする課題】
【０００７】
しかしながら、特許文献１の集塵室では、旋回した空気の速度が５０〜１００ｍ／分と非常に高速なので、一瞬の内に供給された水粒子の大部分が蒸発しながら集塵室２の外へ排気され、旋回気流に流されにくい細塵（例えば砂、泥）は先に底に溜まり、旋回気流に流されやすい粗塵（綿ごみ）は細塵の上に溜まり、細塵と粗塵の大半は分離して溜まることとなる。
【０００８】
また、特許文献２の板状隔壁７は、集塵室６に溜まった塵埃を圧縮するが、粗塵は空間が多く、特に綿ごみ等は反発力が強く、圧縮されにくいという課題があった。この結果、掃除を開始する時に板状隔壁７の押圧を解除すると、反発により溜まっていた塵埃の体積が２〜３倍程度増加する分、集塵室６の小型化が十分にできないという課題があった。
【０００９】
さらに、溜まった塵埃を集塵室６の底蓋（図示せず）を開けて廃棄する時に、塵埃中の
細塵が底蓋により引き起こされた空気の流れに巻き込まれ、舞い散るという課題があった。すなわち、供給された水粒子は、塵埃と空気の分離性能を向上するのに役立つが、塵埃の圧縮性向上や溜まった塵埃を廃棄する時に、塵埃の舞い散り防止には寄与しないものであった。
【００１０】
本発明は、上記従来の課題を解決するもので、塵埃の圧縮性向上や塵埃の舞い散り防止できる集塵室を備えた電気掃除機を提供するものである。
【課題を解決するための手段】
【００１１】
上記目的を達成するために本発明の電気掃除機は、吸引力を発生させる電動送風機と、前記電動送風機の上流側に設置され前記電動送風機により吸引した塵埃を含む空気を塵埃分離する塵埃分離部と、前記塵埃分離部で分離された塵埃を溜める集塵室と、前記集塵室に開口した開口部と、前記電動送風機の近傍に配置される吸放湿部材と、前記吸放湿部材を保持収容する調湿容器と、２つの流路を有し前記調湿容器と前記集塵室の前記開口部とを連通させる導入管と、前記電動送風機と前記調湿容器の底面とに接触する伝熱部材と、を備え、前記吸放湿部材は、前記調湿容器内の空間を上部空間と下部空間とに区分けされるように前記調湿容器内に配置され、前記電動送風機の熱を前記伝熱部材を介して前記調湿容器に伝えることにより、前記調湿容器の下部空間内の空気を加熱するように構成したものである。
【００１２】
このような発明により、電動送風機の作動時の熱が伝わった伝熱部材により、暖められた下部空間の空気が上昇気流になり、吸放湿部材を下から上へ通過する。そのとき、吸放湿部材から多量の湿度が放出され、湿度の高い空気は温度が高いため発生した浮力に乗って、調湿容器の上部空間から導入管に流れ込み集塵室へ向かう、一方集塵室内の比較的湿度と温度が低い空気は押し出される形で導入管に入って行き、調湿容器の下部空間を経て吸放湿部材に到達し吸放湿部材から湿度を受け取りその結果、気流はスムーズに循環する。
【発明の効果】
【００１３】
従って、吸放湿部材から集塵室へ向かう湿度の高い空気と、集塵室から戻ってくる湿度の低い空気が衝突、混合することがなく、また確実に湿度の高い空気を塵埃に送ることができるため、塵埃の圧縮性向上や塵埃の舞い散り防止できる集塵室を備えた電気掃除機を提供することができる。
【図面の簡単な説明】
【００１４】
【図１】本発明の実施の形態１における電気掃除機の外観図
【図２】同電気掃除機の掃除中の側面断面図
【図３】同電気掃除機の掃除中の要部構成図
【図４】同電気掃除機の２次旋回室と集塵室の平面断面図
【図５】同電気掃除機の掃除終了後の側面断面図
【図６】同電気掃除機の掃除終了後の調湿容器と集塵室の構成図
【図７】同電気掃除機に搭載している吸放湿部材の部分平面図
【図８】同電気掃除機の平衡時の吸放湿部材の相対湿度と吸湿率との関係図
【図９】本発明の実施の形態２における電気掃除機の掃除中の側面断面図
【図１０】本発明の実施の形態３における電気掃除機の要部側面断面図
【図１１】本発明の実施の形態４における電気掃除機の要部構成図
【図１２】従来の電気掃除機の要部構成図
【図１３】従来の別例の電気掃除機の要部側面断面図
【発明を実施するための形態】
【００１５】
第１の発明は、吸引力を発生させる電動送風機と、前記電動送風機の上流側に設置され前記電動送風機により吸引した塵埃を含む空気を塵埃分離する塵埃分離部と、前記塵埃分離部で分離された塵埃を溜める集塵室と、前記集塵室に開口した開口部と、前記電動送風機の近傍に配置される吸放湿部材と、前記吸放湿部材を保持収容する調湿容器と、２つの流路を有し前記調湿容器と前記集塵室の前記開口部とを連通させる導入管と、前記電動送風機と前記調湿容器の底面とに接触する伝熱部材と、を備え、前記吸放湿部材は、前記調湿容器内の空間を上部空間と下部空間とに区分けされるように前記調湿容器内に配置され、前記電動送風機の熱を前記伝熱部材を介して前記調湿容器に伝えることにより、前記調湿容器の下部空間内の空気を加熱するように構成したものである。
【００１６】
これにより、電動送風機の作動時の熱が伝わった伝熱部材により、暖められた下部空間の空気が上昇気流になり、吸放湿部材を下から上へ通過する。そのとき、吸放湿部材から多量の湿度が放出され、湿度の高い空気は温度が高いため発生した浮力に乗って、調湿容器の上部空間から導入管に流れ込み集塵室へ向かう、一方集塵室内の比較的湿度と温度が低い空気は押し出される形で導入管に入って行き、調湿容器の下部空間を経て吸放湿部材に到達し吸放湿部材から湿度を受け取りその結果、気流はスムーズに循環する。
従って、吸放湿部材から集塵室へ向かう湿度の高い空気と、集塵室から戻ってくる湿度の低い空気が衝突、混合することがなく、また確実に湿度の高い空気を塵埃に送ることができるため、塵埃の圧縮性向上や塵埃の舞い散り防止できる集塵室を備えた電気掃除機を提供することができる。
【００１７】
第２の発明は、特に第１の発明において、前記導入管には、前記導入管の軸に平行かつ被掃除面に対し上下を区分する仕切板を有し、前記仕切板端部を前記吸放湿部材と接触または近接させるように配置することで、前記仕切板の上部通路と前記調湿容器の前記上部空間、そして前記仕切板の下部通路と前記調湿容器の前記下部空間を連通されるようにしたものである。
【００１８】
これにより、仕切板により導入管が上下を区分され２つの通路を構成される。そして、電動送風機により温められて浮力が生じた湿度の高い空気が、被掃除面に対して上側の通路を集塵室に向かって流れ、被掃除面に対して下側の通路に集塵室からモータへ向かう空気が流れる。
従って、吸放湿部材から集塵室へ向かう湿度の高い空気と、集塵室から戻ってくる湿度の低い空気が衝突、混合することがないので、確実に湿度の高い空気を塵埃に送ることができるため、塵埃の圧縮性向上や塵埃の舞い散り防止できる集塵室を備えた電気掃除機を提供することができる。
【００１９】
第３の発明は、特に第１または第２の発明において、前記吸放湿部材は、表裏が連通する連通孔を有した構成とし、前記下部空間と前記上部空間とが前記連通孔により連通されるように前記調湿容器内に配置したものである。
これにより、伝熱部材により暖められた下部空間の空気を吸放湿部材の中を通過させることで空気と吸放湿部材の接触面積がふえるため、より多くの湿度を空気に与え、そして塵埃に与えることができる。
【００２０】
第４の発明は、特に第１〜３のいずれか１つの発明において、前記調湿容器の底面に単一または複数の伝熱フィンを配置する構成としたものである。
これにより、伝熱部材から伝熱フィンに伝わった熱により、下部空間の空気が効率的に熱せられ、その高い温度になった空気が吸放湿部材を通過するため、より多くの湿度を空気に与え、そして塵埃に与えることができる。
【００２１】
第５の発明は、特に第１〜４のいずれか１つの発明において、前記調湿容器の前記上部
空間に対し前記電動送風機からの熱が伝わりにくい構成としたものである。
これにより、調湿容器の上部空間は、伝導送風機の熱による温度上昇が、下部空間の温度上昇より小さいので、下部空間で暖められ上昇気流によって吸放湿部材を通過する空気の流れを妨げることがなく、効率よく湿度を集塵室の塵埃に運ぶことができる。
【００２２】
（実施の形態１）
図１〜図８を用いて、本発明の実施の形態１における電気掃除機について説明する。図１は本発明の実施の形態１を示す電気掃除機の外観図、図２は電気掃除機の側面断面図、図３は掃除中の要部構成図、図４は２次旋回室と集塵室の平面断面図、図５は掃除終了後の電気掃除機の側面断面図、図６は掃除終了後の吸放湿部材と集塵室の位置関係を示す構成図、図７は吸放湿部材の部分平面図、図８は、平衡時の吸放湿部材の相対湿度と吸湿率との関係図。
【００２３】
図１に示すように、掃除機本体２１の外部には、車輪２２およびキャスター２３が取り付けられており、掃除機本体２１は床面を自在に移動できる。塵埃分離部２４設置部の下方に設けられた吸引口２５には、吸引ホース２６、ハンドル２７を形成した延長管２８が順次接続されており、延長管２８の先端に吸込具２９を取り付けられている。
【００２４】
図１と図２に示すように、塵埃分離部２４が電動送風機３０を内蔵した掃除機本体２１に対して着脱自在に、かつ水平に対して角度約４５°の傾斜で設置され、掃除機本体２１に装着した状態で塵埃分離部２４入口側の吸気口３１は吸引口２５を開口した吸引路３２に連通し、他方、塵埃分離部２４出口側の通気口３３は電動送風機３０に連通している。
【００２５】
塵埃分離部２４は図３、図４に示すように、塵埃を含む空気を取り入れ旋回気流を発生させる円筒状の１次旋回室３４、その下方に位置する略円筒状の２次旋回室３９から構成され、その下方に塵埃を溜める直方体状の集塵室３５が位置している。
【００２６】
１次旋回室３４には、円筒形状の外郭内周面に対して接線方向となるように開口した吸気口３１と、中心には通気口３３に連通する円筒状の排気筒３６を配している。この排気筒３６の外周側壁にはメッシュフィルターやエッチングフィルター等の濾過フィルタによる通気部３７を構成しており、粗塵が排気筒３６を通り抜けないようにしている。加えて、排気筒３６と通気口３３との間には、第２の塵埃分離手段３８として不織布フィルタをプリーツ状に折ったものを配置している。集塵室３５は、１次旋回室３４の下方に、２次旋回室と連通するように、それぞれの中心軸を水平方向に平行にずらした位置で配置されている。
【００２７】
また、集塵室３５の天上面には開口部４１を開口している。開口部４１は、圧縮板４３と重なる場所に位置し、圧縮板４３がバネにより上部に位置しているときには開口部４１が塞がれ、調湿容器４４と集塵室間の空気の出入りがないようにしている。
【００２８】
また、図３、図４に示すように、集塵室３５への塵埃の流入口４０は、２次旋回室３９と集塵室３５を隔てる壁部３９ａの旋回気流の上流側に形成されており、２次旋回室３９の円弧状壁部の一部分において、２次旋回室３９の円弧の接線方向に伸長されて導入側壁部３９ｂを形成し、流入口４０の開口範囲を、前記導入側壁部まで拡張させて流入経路を構成している。
【００２９】
そして図５に示すように、圧縮手段４２は集塵室３５内を上下に移動し、手動により下降し、バネ（図示せず）により上昇する平板状の圧縮板４３を設けている。圧縮板４３は、集塵室３５に擦らず、他方圧縮の際に溜まった塵埃が逃げない集塵室３５との間隙を設定（例えば１〜３ｍｍ）している。
【００３０】
図６に示すように、調湿容器４４は、電動送風機３０の周囲を半円状に囲むような形状をしており、その中の吸放湿部材４５は、電動送風機３０を半円状に囲むように配置される。そして電動送風機３０の作動により発生した熱を調湿容器４４によく伝えるため逆Ｌ字状の伝熱部材４６を電動送風機３０と調湿容器４４の下面を熱的に接続するように設置する。
【００３１】
伝熱部材４６は、熱伝導性の高い金属でできていることが望ましく、アルミや銅ならさらに良い効果が期待できる。そして集塵室３５と調湿容器４４はエルボの付いた円筒形状の導入管４８によって接続されている。
【００３２】
そして、導入管４８内部には、被掃除面である床面に平行な仕切板４９を配置して、導入管４８内の流路をほぼ同じ断面積に上下に２分して２つの流路を形成している。仕切板４９は導入管４８の端から端までほぼ全長にわたって配置されている。仕切板４９の調湿容器４４側の端部は、吸放湿部材４５と圧接もしくは接着しており、接合部での空気の漏れが無いようにしている。
【００３３】
また、図６に示すように導入管４８は、集塵室側導入管４８ｂと掃除機本体側導入管４８ｃに二分されており、接合部４８ａにおいて脱着自在に構成されている。
【００３４】
また、吸放湿部材４５として、例えば１０ｇの日本エクストラン工業社製タフチックＨＵ（シリカゲルに比べて吸湿率が高い）をコルゲートハニカム５０（例えば、ピッチ１〜３ｍｍ、高さ１〜３ｍｍ）に添着した物を用い、その吸放湿部材４５を、調湿容器４４内の高さ方向（容器底面基準に上下方向）の略中央にスペーサ等（図示せず）を介して設置されることで、調湿容器４４を上部空間４４ａと下部空間４４ｂに区分している。
【００３５】
図７は、吸放湿部材の一部を通気方向から見た（例えば掃除機の上方向から）図であるが、例えば紙などでできた波状の部材５０ａと平面状部材５０ｂを貼合せたコルゲートハニカム５０の表面に、タフチックを薄く均一に添着したものである。
【００３６】
コルゲートハニカム５０は、波状の部材５０ａと平面状部材５０ｂとの空間部（連通孔）を流れる通気方向が、上部空間４４ａと下部空間４４ｂをつなぐような向きに設置する。
このような配置にすることで、上部空間４４ａと下部空間４４ｂとは連通し、空気の流れが生じるようにしている。
【００３７】
伝熱部材４６により熱せられた空気は、例えば紙面奥からコルゲートハニカム５０の多数の空間部（連通孔）を通過して紙面手前へ流れてくる。そのとき添着されているタフチックから湿度を受け取る。
【００３８】
以上のように構成されたサイクロン式電気掃除機の動作について説明する。
まず、図１に示すように、電動送風機３０が発生させた吸引作用により、家屋の床面上の塵埃が吸込具２９から吸引され、塵埃分離部２４は吸引ホース２６、延長管２８を通過した塵埃を含む空気を導入し、塵埃を遠心分離し、かつ微細な塵埃を濾過して溜める。そして、濾過した空気は電動送風機３０下流の排気出口（図示せず）から排気するようにしている。
【００３９】
次に、図２および図３により、塵埃分離部２４の動作を説明する。先ずは、圧縮手段４２のバネが圧縮板４３を上昇させて集塵室３５の上部に収納する。そして、電動送風機３０の吸引作用により吸気口３１から流入した塵埃を含む空気は、吸気口３１から１次旋回
室３４へ接線方向に噴出し排気筒３６の周囲を少し旋回し、直ちに１次旋回室３４の下方に位置する２次旋回室３９に流入する。その後、２次旋回室３９に流入した空気は２次旋回室３９、１次旋回室３４の各略中央を通り通気部３７へ流れる。
【００４０】
特に、図４に示すように、１次旋回室３４と集塵室３５とは平行にずらした状態であるが、２次旋回室３９では、旋回する空気が壁部３９ａの上流端部に達すると、壁部３９ａに沿って急激に向きを変えるので、空気に含まれている塵埃は、向きを変える空気について行けず、塵埃自身の慣性力により流入口４０から集塵室３５に飛び込んで行く。
【００４１】
その際、旋回する空気は２次旋回室３９の外周側壁に沿って流れるが、流入口４０に対する僅かな動圧や空気への遠心力等により量は少ないが、旋回する空気の一部が流入口４０から集塵室３５へ流入する。集塵室３５では、空気は直ちに減速して集塵室３５内をゆっくり旋回し、流入口４０から２次旋回室３９に戻る。
【００４２】
そして、集塵室３５に流入した塵埃は、再びゆっくり旋回する空気により流入口４０から２次旋回室３９へ戻らず、自重により空気から分離して集塵室３５の底面に通常下から細塵（土、砂など）、粗塵（綿ごみなど）の順に溜まる。他方、集塵室３５へ飛び込まなかった塵埃は、通気部３７に遮られ、再び遠心旋回気流に乗り、結局、流入口４０から集塵室３５へ飛び込み、集塵室３５の底面に溜まる。
【００４３】
その後、塵埃を分離した旋回する空気は２次旋回室３９の中央から１次旋回室３４へ戻り、通気部３７から外部へ排気される。他方、集塵室３５へ飛び込まなかった塵埃は、通気部３７に遮られ、再び遠心旋回空気に巻き込まれ、結局流入口４０から集塵室３５へ飛び込み、集塵室３５の底面に溜まる。また、空気は集塵室３５内をゆっくり旋回する。また、リント等の微細塵を含んだ空気は通気部３７を通過するが、微細塵は第２の塵埃分離手段３８に濾過され、きれいになった空気が第２の塵埃分離手段３８を通過して、電動送風機３０へと導かれる。
【００４４】
同時に、電動送風機３０は、通過する空気による冷却作用と、逆に内蔵したモータ（図示せず）の温度上昇による加熱作用とにより、室温から差し引き約１８Ｋ温度上昇する。そして、電動送風機３０の熱は、伝熱部材４６を伝い調湿容器４４の底部を加熱させ、特に調湿容器４４内の下部空間４４ｂの温度を温度上昇させる。
【００４５】
そして、掃除が終われば、電動送風機３０が停止すると共に、図５に示すように、手動により圧縮手段４２が圧縮板４３を降下させて集塵室３５に溜まった塵埃を圧縮してコンパクトにする。そしてその時に圧縮板４３によって閉口されていた開口部４１は開放される。
【００４６】
そして、電動送風機３０は通過する空気による冷却作用がなくなり、かつ電動送風機３０に内蔵したモータの余熱（熱容量）により、さらに約９Ｋ温度上昇する。すなわち、電動送風機３０は掃除終了後から約１時間程度、約１８Ｋ以上の温度上昇を継続する。同様に、調湿容器４４は電動送風機３０から加熱され温度上昇して、調湿容器の下部空間４４ｂの温度は約２４℃から約５１℃へ温度上昇する。この暖められた空気が上昇気流となり上へ向かって移動するため吸放湿部材４５の周囲の温度も上昇する。
【００４７】
図８に示すように温度上昇により吸放湿部材４５周りの相対湿度は６０％から１４％へ低下して、吸湿率４８％から１４％までの差分２４％の蒸気２．４ｇ（１０ｇ×２４％）が放湿される（時間をかけ、大気開放の場合）。
【００４８】
しかし、実際には、吸放湿部材４５は放湿するのに時間がかかり、また放湿した蒸気が
吸放湿部材４５周りに溜まるために、吸放湿部材４５周りの相対湿度は１４％に維持されることはなく、直ちに上昇するので、吸放湿部材４５は通常実験によると０．３〜０．６ｇ放湿する。
【００４９】
続いて図５に示すように、吸放湿部材４５から放湿された蒸気を含む湿度の高い、温度上昇した空気は、調湿容器４４と集塵室３５の湿度差（蒸気分子の物質移動）と自然対流により上部空間４４ａを通過して導入管４８の２つの流路のうち床面に対して上側になる通路を通って開口部４１から集塵室３５に流入する。集塵室３５の相対湿度は約８０〜９５％、温度は約１〜５Ｋそれぞれ上昇する。
【００５０】
次に、湿度の高い空気は集塵室３５と圧縮板４３との間隙から、集塵室３５に溜まり圧縮板４３に圧縮された塵埃３ｇ（標準家庭の一日の塵埃）を加湿する。この結果、塵埃は塵埃自身の間隙から浸透する湿度の高い空気から時間をかけて０．１ｇ〜０．３ｇ程度吸湿するので、粗塵（綿ごみ等）は柔らかく、変形し易くなり圧縮性が向上し、かつ変形し伸びた粗塵は互いに絡み合う。よって、圧縮手段４２を解除しても、圧縮した塵埃はほとんど体積が元には戻らない。
【００５１】
他方、細塵（泥、砂等）は、重量が増加し、吸湿すると柔らかくなり互いに結合し、変形した粗塵と絡み合うので、結局細塵が大きく重くなる。また、湿度の高い空気が集塵室３５に一旦入ってしまえば、一部分が流入口４０から２次旋回室３９へ抜けるが、それでも集塵室３５に溜まり圧縮板４３に圧縮された塵埃は十分に吸湿できる。また、集塵室３５に溜まった圧縮した塵埃を廃棄するために集塵室３５の底蓋を開けた時に、底に溜まった重くなった細塵が真直ぐに落下し、その上を圧縮された粗塵が落下するので、ごみの舞い散りが抑えられるという効果がある。
【００５２】
そして、湿度を塵埃に与えて湿度と温度の低くなった空気は、集塵室３５から押し出されて、導入管４８の下側の通路（床面に対して下側の通路）を通って調湿容器４４に戻っていきシリカゲルから湿度を受け取りまた集塵室３５へ向かう。このように、調湿容器４４から集塵室３５へ向かう気流と、集塵室３５から調湿容器４４へ戻る気流が分離され、途中で混合することがない。
【００５３】
そして、掃除終了後２時間以上経過すると、大気への放熱により電動送風機３０、調湿容器４４が室温付近まで温度低下する。その際に、吸放湿部材４５の周りの温度も低下し、吸放湿部材４５は放湿作用から逆に、集塵室３５、２次旋回室３９の空気から水分を奪う吸湿作用へ切り替わり、時間をかけて（ほぼ１日）元の吸湿状態に回復するので、放湿用水タンクは不要である。
【００５４】
その際に、圧縮されている塵埃からも水分を奪われ、乾燥するが、粗塵は一度変形するとアイロンがけの様に元に戻り難く、細塵は泥だんごのように硬く締まっている。
【００５５】
この結果、集塵室３５に大量の塵埃を溜めることを可能とし、かつ集塵室３５のコンパクト化が図れる。さらに、底蓋を開けて集塵室３５に溜まった圧縮した塵埃を廃棄する時に、ごみの舞い散りが抑えられるという効果がある。
【００５６】
また、掃除運転をする毎に圧縮されている塵埃が吸湿と放湿を繰り返すので、塵埃の水分量が著しく増加することがなく、菌、カビ等の増殖が抑えられ、臭気の発生が防止できると共に、集塵室３５に塵埃が固着され難くすることができる。
【００５７】
このとき塵埃から抜け出る湿気のうちの一部は、導入管４８を通って吸放湿部材４５に吸収される。そのときの空気にはすでに温度差はないので、導入管４８の２つの通路の区
別なく、２つの通路を通って集塵室３５側から調湿容器４４側へ向かって空気が流れ、湿度はゆっくりと吸放湿部材４５に吸われることになる。吸放湿部材４５の吸湿に要する時間は次回の掃除までの間、つまり約１日であるので十分な時間があると考えられる。
【００５８】
以上、このような構成によって、電動送風機３０の停止後に、圧縮手段４２が溜まっている塵埃を圧縮すると共に、吸放湿部材４５が湿度の高い空気を集塵室３５に供給する。
【００５９】
このとき導入管４８の内部に、被掃除面に対し上下を区分する仕切板４９を設けることにより、２つの通路を構成したものであるため、調湿容器４４から集塵室３５へ向かう湿度の高い空気と、集塵室３５から戻ってくる湿度の低い空気が衝突、混合することがないので、確実に湿度の高い空気を塵埃に送ることができ、その結果、粗塵は加湿により変形し易くなり圧縮性が向上し、かつ変形し伸びた粗塵は絡み合い、圧縮手段４２を解除しても、圧縮した塵埃は、圧縮前の元の嵩には戻らず、圧縮された小さな体積の塵埃となる。
【００６０】
他方、細塵は重量増加し、変形した粗塵と絡み合う。これらの結果、塵埃の圧縮性向上により集塵室３５の大幅な小型化が図れ、また溜まった塵埃の廃棄時にごみの舞い散りが抑えられる。
【００６１】
（実施の形態２）
本発明の実施の形態２における電気掃除機について説明する。
図９は、本発明の実施の形態２を示す電気掃除機の側面断面図である。以下、実施の形態１と同一部分については同一符号を付してその説明を省略する。
【００６２】
実施の形態１と異なるところは、実施の形態１で示した導入管が無い点である。調湿容器４４は電動送風機３０と共に集塵室３５に接近して設置されており、集塵室３５における、集塵室３５の天上面に設けた開口部４１よりも上の空間５１に直接、着脱可能に接続される。このように配置することで、湿度の移動距離が短くなり、より確実に湿度の高い空気を塵埃に送ることができる。
【００６３】
（実施の形態３）
本発明の実施の形態３における電気掃除機について説明する。
図１０は、本発明の実施の形態３を示す電気掃除機の部分側面断面図である。以下、実施の形態１、２と同一部分については同一符号を付してその説明を省略する。
【００６４】
実施の形態１、２と異なるところは、塵埃分離部２４が単一の旋回室５２のみにより構成され、集塵室５３は旋回室５２と同軸下方に配置されている点である。そして、調湿容器４４は導入管４８を介して集塵室５３に着脱可能に接続されている。
【００６５】
このように配置することで、旋回室５２の下に位置する集塵室５３に溜まった塵埃に、湿度の高い空気を送ることができ、粗塵は加湿により変形し、細塵は重量増加すると共に変形した粗塵と絡み合い、溜まった塵埃の廃棄時のごみの舞い散りを抑えることができる。
【００６６】
（実施の形態４）
本発明の実施の形態４における電気掃除機について説明する。
図１１は、本発明の実施の形態４を示す電気掃除機の要部構成図である。以下、実施の形態１、２および３と同一部分については同一符号を付してその説明を省略する。
【００６７】
実施の形態１、２および３と異なるところは、調湿容器４４の下部空間４４ｂの下方内面、特に調湿容器４４の底部内面にアルミの放熱フィン（伝熱フィン）５４が複数配され
ている点である。
【００６８】
これにより、電動送風機３０の熱は、伝熱部材４６から放熱フィン５４に伝わり、下部空間４４ｂの空気が効率的に加熱することができる。そして、その高い温度になった空気が吸放湿部材４５を通過するため、より多くの湿度を空気に与え、そして塵埃に与えることができる。
【００６９】
また、このとき調湿容器４４の上部空間４４ａの天井壁面は、熱伝導率の低い例えば樹脂などで作るとよい。このとき、天井壁面には電動送風機３０の熱が伝わりにくくなるため、上部空間４４ａ内の空気の温度は上がりにくくなり、温度差に伴う下部空間４４ｂから上部空間４４ａに向かう上昇気流の流れの妨げにならない。
【００７０】
なお、調湿容器４４の加熱手段として電動送風機３０に変わり、電気ヒータ（ＰＴＣヒータ等）を調湿容器４４の底部に配置し、吸放湿部材４５を加熱してもかまわない。
【００７１】
なお、また導入管４８に仕切板４９を配置して管を２つに分ける構成を説明したが、これに限られることはなく、２つの独立した管を略平行に縦配置して設置してもかまわない。
【００７２】
なお、またコルゲートハニカム５０の構造は、波状と板状の組み合わせに限られることなく、セルの形状が六角形や四辺形、円弧、円形でもかまわない。
【００７３】
なお、また吸放湿部材４５として、例えば２０ｇのユニオン昭和社製ハイシリカゼオライトＤＤＺ（相対湿度約１０％以下で急激に吸湿率が低下する特性を有するタイプの吸放湿部材）を用いても同様の効果が期待できる。
【００７４】
なお、また吸放湿部材４５として、約２０ｇのシリカゲル（相対湿度と吸湿率とが略正比例の特性を有するタイプの吸放湿部材）を用いてもかまわない。
【００７５】
なお、また吸放湿部材４５に熱を加える構成として、無機水和塩系やパラフィン系の潜熱型の蓄熱材を用い、蓄熱材を電動送風機３０と調湿容器４４に接触配置し、電動送風機３０の熱を蓄熱財に蓄えさせ、その後、吸放湿部材４５に熱を伝える構成にしてもかまわない。
【００７６】
なお、また紙パック式の電気掃除機に本発明の吸放湿部材４５を搭載しても良い。その場合、例えば吸引ホースと紙パックの間に分岐管を配置して吸放湿部材４５からの湿度の高い空気を紙パック内の塵埃に送る構成となる。
【産業上の利用可能性】
【００７７】
以上のように、本発明にかかる電気掃除機は、集塵室の塵埃を圧縮する圧縮手段と、湿度の高い空気を発生させる吸放湿部材を備え、電動送風機の停止後に、前記圧縮手段が塵埃を圧縮する前後に、吸放湿部材が湿度の高い空気を集塵室に供給するので、集塵室に溜まる塵埃の圧縮性が向上し、また圧縮した塵埃の廃棄の際に塵埃の舞い散りを抑制できるものである。
【符号の説明】
【００７８】
２１  掃除機本体（電気掃除機）
２４  塵埃分離部
３０  電動送風機
３５、５３  集塵室
４１  開口部
４４  調湿容器
４４ａ  上部空間
４４ｂ  下部空間
４５  吸放湿部材
４６  伝熱部材
４８  導入管
４９  仕切板
５４  放熱フィン（伝熱フィン）
【図１】
2013128532.tif 000003
【図２】
2013128532.tif 000004
【図３】
2013128532.tif 000005
【図４】
2013128532.tif 000006
【図５】
2013128532.tif 000007
【図６】
2013128532.tif 000008
【図７】
2013128532.tif 000009
【図８】
2013128532.tif 000010
【図９】
2013128532.tif 000011
【図１０】
2013128532.tif 000012
【図１１】
2013128532.tif 000013
【図１２】
2013128532.tif 000014
【図１３】
2013128532.tif 000015